(57)【要約】      （修正有）【課題】非接触媒体で認証と、動作モードの切り替え可能な画像処理装置において、非接触媒体が誤って画像処理装置側にて読み取られてしまう弊害生を抑制する。【解決手段】通常電力モードと消費電力を抑えた省電力モードとの間で切替可能な画像処理装置であって、操作パネルと、パネル上に装置の状態やユーザに対する各種の指示を表示する表示部と、装置使用許可のためユーザ識別情報を格納した非接触媒体から識別情報を取得する識別情報取得部と、取得された識別情報から画像処理装置の使用可否を判別する情報判別部と、操作パネルの操作で画像処理装置が省電力モードから通常電力モードに切り替わったかを判別する動作モード判別部と、装置が省電力モード状態でユーザ識別情報を取得した後に通常電力モードに切り替わったことを判別し、かつ情報判別部で装置の使用が許可される旨の判別をした場合には、表示部に画像処理装置が使用可能状態の旨を表示する。【選択図】図１
2007215167.tif 000002
【特許請求の範囲】
【請求項１】
動作モードを通常電力モードと前記通常電力モードよりも消費電力を抑えた省電力モードとの間で切替可能な画像処理装置であって、
前記画像処理装置の動作を実行させるためにユーザによって操作される操作パネルと、
前記操作パネル上に前記画像処理装置の状態やユーザに対する各種の指示を表示する表示部と、
前記画像処理装置の使用を許可するためのユーザ識別情報を格納した非接触媒体から前記ユーザ識別情報を取得する識別情報取得部と、
前記識別情報取得部で取得された前記ユーザ識別情報から前記画像処理装置の使用可否を判別する情報判別部と、
前記操作パネルが操作されて前記画像処理装置の動作モードが前記省電力モードから通常電力モードに切り替わったかを判別する動作モード判別部と、
前記画像処理装置が前記省電力モードの状態で前記識別情報取得部から前記ユーザ識別情報を取得した後に前記動作モード判別部により前記画像処理装置の動作モードが通常電力モードに切り替わったことを判別し、かつ前記情報判別部で前記画像処理装置の使用が許可される旨の判別をした場合には、前記表示部に前記画像処理装置が使用可能状態の旨を表示するように前記表示部を制御する制御部と
を備えてなる画像処理装置。
【請求項２】
請求項１に記載の画像処理装置において、
前記操作パネルは、ユーザによって押されるキー及びタッチされるタッチパネルを含み、前記キーが押される或いはタッチパネルがタッチされることによって前記省電力モードから前記通常電力モードに切り替わる画像処理装置。
【請求項３】
請求項１に記載の画像処理装置において、
前記制御部は、前記画像処理装置が前記省電力モードの状態で前記識別情報取得部から前記ユーザ識別情報を取得した後に、所定時間の間、前記動作モード判別部が前記画像処理装置の動作モードが省電力モードであると判別した場合は、前記表示部に前記画像処理装置が省電力モードである旨の表示を継続するように前記表示部を制御する画像処理装置。
【請求項４】
請求項１に記載の画像処理装置において、
前記制御部は、前記情報判別部が前記画像処理装置の使用を不許可である旨判別した場合には、ユーザに対して前記表示部に不許可の旨の表示を行なうように制御する画像処理装置。
【請求項５】
請求項１に記載の画像処理装置において、
前記制御部は、所定時間経過後であっても前記動作モード判別部が省電力モードであると判別した場合には、前記識別情報取得部で取得したユーザ識別情報を消去するように制御する画像処理装置。
【請求項６】
請求項１に記載の画像処理装置において、
前記非接触媒体は非接触ＩＣカードを含み、前記識別情報取得部は前記非接触ＩＣカードに格納されたユーザ識別情報を読み取るカードリーダを含む画像処理装置。
【請求項７】
動作モードを通常電力モードと前記通常電力モードよりも消費電力を抑えた省電力モードとの間で切替可能な画像処理装置であって、
前記画像処理装置の動作を実行させるためにユーザによって操作される操作手段と、
前記操作手段上に前記画像処理装置の状態やユーザに対する各種の指示を表示する表示手段と、
前記画像処理装置の使用を許可するためのユーザ識別情報を格納した非接触媒体から前記ユーザ識別情報を取得する識別情報取得手段と、
前記識別情報取得手段で取得された前記ユーザ識別情報から前記画像処理装置の使用可否を判別する情報判別手段と、
前記操作手段が操作されて前記画像処理装置の動作モードが前記省電力モードから通常電力モードに切り替わったかを判別する動作モード判別手段と、
前記画像処理装置が前記省電力モードの状態で前記識別情報取得手段から前記ユーザ識別情報を取得した後に前記動作モード判別手段により前記画像処理装置の動作モードが通常電力モードに切り替わったことを判別し、かつ前記情報判別手段で前記画像処理装置の使用が許可される旨の判別をした場合には、前記表示手段に前記画像処理装置が使用可能状態の旨を表示するように前記表示手段を制御する制御手段と
を備えてなる画像処理装置。
【請求項８】
請求項７に記載の画像処理装置において、
前記操作手段は、ユーザによって押されるキー及びタッチされるタッチパネルを含み、前記キーが押される或いはタッチパネルがタッチされることによって前記省電力モードから前記通常電力モードに切り替わる画像処理装置。
【請求項９】
請求項７に記載の画像処理装置において、
前記制御手段は、前記画像処理装置が前記省電力モードの状態で前記識別情報取得手段から前記ユーザ識別情報を取得した後に、所定時間の間、前記動作モード判別手段が前記画像処理装置の動作モードが省電力モードであると判別した場合は、前記表示手段に前記画像処理装置が省電力モードである旨の表示を継続するように前記表示手段を制御する画像処理装置。
【請求項１０】
請求項７に記載の画像処理装置において、
前記制御手段は、前記情報判別手段が前記画像処理装置の使用を不許可である旨判別した場合には、ユーザに対して前記表示手段に不許可の旨の表示を行なうように制御する画像処理装置。
【請求項１１】
請求項７に記載の画像処理装置において、
前記制御手段は、所定時間経過後であっても前記動作モード判別手段が省電力モードであると判別した場合には、前記識別情報取得手段で取得したユーザ識別情報を消去するように制御する画像処理装置。
【請求項１２】
請求項７に記載の画像処理装置において、
前記非接触媒体は非接触ＩＣカードを含み、前記識別情報取得手段は前記非接触ＩＣカードに格納されたユーザ識別情報を読み取るカードリーダを含む画像処理装置。
【請求項１３】
操作パネル及び表示部を有し、かつ動作モードを通常電力モードと前記通常電力モードよりも消費電力を抑えた省電力モードとの間で切替可能な画像処理装置の動作モード切替制御方法であって、
前記画像処理装置の動作を実行させるために前記操作パネルへの操作を受入れ、
前記表示部に前記画像処理装置の状態やユーザに対する各種の指示を表示し、
前記画像処理装置の使用を許可するためのユーザ識別情報を格納した非接触媒体から前記ユーザ識別情報を取得し、
前記取得された前記ユーザ識別情報から前記画像処理装置の使用可否を判別し、
前記操作パネルでの操作の受入れによって前記画像処理装置の動作モードが前記省電力モードから通常電力モードに切り替わったかを判別し、
前記画像処理装置が前記省電力モードの状態で前記ユーザ識別情報を取得した後に前記画像処理装置の動作モードが通常電力モードに切り替わったことが判別され、かつ前記画像処理装置の使用が許可される旨判別された場合には、前記表示部に前記画像処理装置が使用可能状態の旨を表示する画像処理装置の動作モード切替制御方法。
【請求項１４】
請求項１３に記載の画像処理装置の動作モード切替制御方法において、
前記操作パネルは、ユーザによって押されるキー及びタッチされるタッチパネルを含み、前記キーが押される或いはタッチパネルがタッチされることによって前記省電力モードから前記通常電力モードに切り替わる画像処理装置の動作モード切替制御方法。
【請求項１５】
請求項１３に記載の画像処理装置の動作モード切替制御方法において、
前記画像処理装置が前記省電力モードの状態で前記ユーザ識別情報を取得した後に、所定時間の間、前記画像処理装置の動作モードが省電力モードであると判別された場合は、前記画像処理装置が省電力モードである旨の表示が継続される画像処理装置の動作モード切替制御方法。
【請求項１６】
請求項１３に記載の画像処理装置の動作モード切替制御方法において、
前記画像処理装置の使用を不許可である旨判別された場合には、ユーザに対して前記表示部に不許可の旨の表示を行なう画像処理装置の動作モード切替制御方法。
【請求項１７】
請求項１３に記載の画像処理装置の動作モード切替制御方法において、
前記動作モードが通常電力モードに切り替わっていない旨を判別された場合には、前記取得されたユーザ識別情報を消去する画像処理装置の動作モード切替制御方法。
【請求項１８】
請求項１３に記載の画像処理装置の動作モード切替制御方法において、
前記非接触媒体は非接触ＩＣカードを含み、前記非接触ＩＣカードに格納されたユーザ識別情報はカードリーダで読み取られる画像処理装置の動作モード切替制御方法。
【発明の詳細な説明】
【技術分野】
【０００１】
本発明は、動作モードの切り替えが可能な画像処理装置において実行される所定の処理に関する管理を行なう画像処理装置および画像処理装置の動作モード切替制御方法に関する。
【背景技術】
【０００２】
従来、シートへの画像形成や原稿の画像読み取り等を行なう画像処理装置において、動作モードを通常電力モードと前記通常電力モードよりも消費電力を抑えた省電力モード（いわゆるスリープモード）との間で切替可能とする技術が知られる。また近年、このような画像処理装置においては、非接触ＩＣカード或いは携帯端末などを用いてユーザ認証等を行なう技術が知られている（例えば、特許文献１および２参照。）。
【０００３】
非接触ＩＣカードを用いてユーザ認証を行なう画像処理装置では、ユーザが自分のＩＤ情報を記憶している非接触ＩＣカードを画像処理装置に備えられているタグリーダにかざす（近接させる）ことにより、画像処理装置側で非接触ＩＣカードの情報を非接触で取得する。非接触ＩＣカードからユーザを識別する情報を取得した画像処理装置は、動作モードが省電力モードになっている場合には、通常電力モードに切り替え、ユーザに対して各種の画像処理機能の使用を許可する。
【０００４】
上述のような非接触ＩＣカードを用いてユーザ認証を行なう従来の画像処理装置では、動作モードが省電力モードである状態で非接触ＩＣカードに保持されている識別情報を画像処理装置が取得すると、自動的に動作モードを通常電力モードに切り替え、ユーザ認証が完了した状態（使用制限が解除された状態）となる。
【特許文献１】特開２００３−１９５９８６号公報
【特許文献２】特開２００２−８６８４６号公報
【発明の開示】
【発明が解決しようとする課題】
【０００５】
しかし、画像処理装置の配置状況によっては、当該画像処理装置の使用を意図していない人が画像処理装置付近を通過する際に、その人が保持している非接触ＩＣカードの情報を誤って読み取ってしまう場合がある。
【０００６】
このような場合、上記従来の画像処理装置では、画像処理装置の使用を意図していないにも拘らず、当該画像処理装置付近を人が通っただけで、その人のＩＤでの認証処理が完了してしまう。従って、他人がその人のＩＤで使用制限が解除された画像処理装置の利用が可能となってしまうという事態が生じ得る。また、当該画像処理装置の使用を意図していない人が画像処理装置付近を通過しただけで、省電力モードから通常電力モードに切り替わってしまうことにより無駄に電力が消費されてしまうという問題もある。
【０００７】
本発明は上述した問題点を解決するためになされたものであり、非接触媒体を用いてユーザ認証を行なうとともに、動作モードの切り替えが可能な画像処理装置において、ユーザがもつ非接触媒体が誤って画像処理装置側にて読み取られてしまうことによる弊害の発生を抑制することのできる画像処理装置及び画像処理装置の動作モード切替制御方法を提供することを目的とする。
【課題を解決するための手段】
【０００８】
上述した課題を解決するため、本発明の一態様に係る画像処理装置は、動作モードを通常電力モードと前記通常電力モードよりも消費電力を抑えた省電力モードとの間で切替可能な画像処理装置であって、前記画像処理装置の動作を実行させるためにユーザによって操作される操作パネルと、前記操作パネル上に前記画像処理装置の状態やユーザに対する各種の指示を表示する表示部と、前記画像処理装置の使用を許可するためのユーザ識別情報を格納した非接触媒体から前記ユーザ識別情報を取得する識別情報取得部と、前記識別情報取得部で取得された前記ユーザ識別情報から前記画像処理装置の使用可否を判別する情報判別部と、前記操作パネルが操作されて前記画像処理装置の動作モードが前記省電力モードから通常電力モードに切り替わったかを判別する動作モード判別部と、前記画像処理装置が前記省電力モードの状態で前記識別情報取得部から前記ユーザ識別情報を取得した後に前記動作モード判別部により前記画像処理装置の動作モードが通常電力モードに切り替わったことを判別し、かつ前記情報判別部で前記画像処理装置の使用が許可される旨の判別をした場合には、前記表示部に前記画像処理装置が使用可能状態の旨を表示するように前記表示部を制御する制御部とを備えてなることを特徴とするものである。
【０００９】
また、本発明に係る画像処理装置は、動作モードを通常電力モードと前記通常電力モードよりも消費電力を抑えた省電力モードとの間で切替可能な画像処理装置であって、前記画像処理装置の動作を実行させるためにユーザによって操作される操作手段と、前記操作手段上に前記画像処理装置の状態やユーザに対する各種の指示を表示する表示手段と、前記画像処理装置の使用を許可するためのユーザ識別情報を格納した非接触媒体から前記ユーザ識別情報を取得する識別情報取得手段と、前記識別情報取得手段で取得された前記ユーザ識別情報から前記画像処理装置の使用可否を判別する情報判別手段と、前記操作手段が操作されて前記画像処理装置の動作モードが前記省電力モードから通常電力モードに切り替わったかを判別する動作モード判別手段と、前記画像処理装置が前記省電力モードの状態で前記識別情報取得手段から前記ユーザ識別情報を取得した後に前記動作モード判別手段により前記画像処理装置の動作モードが通常電力モードに切り替わったことを判別し、かつ前記情報判別手段で前記画像処理装置の使用が許可される旨の判別をした場合には、前記表示手段に前記画像処理装置が使用可能状態の旨を表示するように前記表示手段を制御する制御手段とを備えてなることを特徴とするものである。
【００１０】
また、本発明に係る画像処理装置の動作モード切替制御方法は、操作パネル及び表示部を有し、かつ動作モードを通常電力モードと前記通常電力モードよりも消費電力を抑えた省電力モードとの間で切替可能な画像処理装置の動作モード切替制御方法であって、前記画像処理装置の動作を実行させるために前記操作パネルへの操作を受入れ、前記表示部に前記画像処理装置の状態やユーザに対する各種の指示を表示し、前記画像処理装置の使用を許可するためのユーザ識別情報を格納した非接触媒体から前記ユーザ識別情報を取得し、前記取得された前記ユーザ識別情報から前記画像処理装置の使用可否を判別し、前記操作パネルでの操作の受入れによって前記画像処理装置の動作モードが前記省電力モードから通常電力モードに切り替わったかを判別し、前記画像処理装置が前記省電力モードの状態で前記ユーザ識別情報を取得した後に前記画像処理装置の動作モードが通常電力モードに切り替わったことが判別され、かつ前記画像処理装置の使用が許可される旨判別された場合には、前記表示部に前記画像処理装置が使用可能状態の旨を表示することを特徴とするものである。
【発明の効果】
【００１１】
以上に詳述したように本発明によれば、非接触媒体を用いてユーザ認証を行なうとともに、動作モードの切り替えが可能な画像処理装置において、ユーザがもつ非接触媒体が誤って画像処理装置側にて読み取られてしまうことによる弊害の発生を抑制することのできる画像処理装置及び画像処理装置の動作モード切替制御方法を提供することができる。
【発明を実施するための最良の形態】
【００１２】
以下、本発明の実施形態について図面を参照して説明する。図１は、本実施形態による画像処理装置（ＭＦＰ：Multi Function Peripheral）１について説明するための機能ブロック図である。本実施形態による画像処理装置１は、動作モードを「通常電力モード」と通常電力モードよりも消費電力を抑えた「省電力モード」との間で切り替え可能である。
【００１３】
図１に示すように、本実施形態による画像処理装置１は、プリント部１０、スキャナ部２０、インターフェース部３０、ＣＰＵ（制御部）４０、メモリ５０、タイマ６０及び操作パネル７０から構成され、これらはバス８０を介して互いに接続されている。
【００１４】
制御部４０は、動作モード切替部４２、動作モード判別部４４、処理実行部４６および情報判別部４７から構成されている。
【００１５】
操作パネル７０は、ユーザによって操作されるように、処理装置１の本体上面に設けられる。操作パネル７０は、プリントを実行させるためにユーザによって押されるスタートキー７１、プリント枚数などが設定されるためのテンキー７２及び処理装置１を省電力モードに切り替えるために押される節電キー７３などを有している。また、操作パネル７０には処理装置１の状態や、ユーザに対する各種の指示を文字とイラストで表示する表示部７４及び表示された文字やイラストを触れることで処理装置１に対してユーザの指示を入力するタッチパネル７５を有している。更に、操作パネル７０上には、ユーザが所持する非接触ＩＣカードＡが近接されるカードリーダ７６を配置している。
【００１６】
識別情報取得部としてのカードリーダ７６は、ユーザが所持する非接触媒体として非接触ＩＣカードＡに格納されている情報を読み取る。カードリーダ７６は、ユーザを識別するための識別情報（ユーザＩＤなど）を格納している非接触ＩＣカードＡから該識別情報を非接触で取得する。
【００１７】
動作モード切替部４２は、操作パネル７０への操作入力（タッチパネル７５への接触、キーの押下など）に基づいて、画像処理装置１の動作モードの切り替えを行なう。動作モード切替部４２は、画像処理装置１が通常電力モードである状態において、所定時間（例えば１分）以上操作入力がない場合に動作モードを自動的に省電力モードに切り替える。タイマ６０は、この所定時間をカウントする。節電キー７３がユーザによって押されることでも省電力モードに切り替えられる。動作モード切替部４２は、画像処理装置１が省電力モードである状態において、操作パネル７０から入力があった場合に動作モードを通常電力モードに切り替える。なお、省電力モードでは、一般的にはプリント部１０の定着器（図示しない）への電力供給を停止するか、或いは供給電力を下げる。
【００１８】
なお、省電力モードには２つの状態がある。１つは、「低電力モード」と呼ばれるもので、画像処理装置１を最後に使用してからタイマ６０で所定時間をカウントするとこの低電力モードに移行する。この低電力モード中は操作パネル７０の表示部７４に「節電しています。スタートボタンを押してください」と表示される。また、この低電力モードでは、プリント部１０に設けられた定着器（図示しない）への電力供給を止めるのではなく、ある所定の温度に保っておき、この低電力モードが解除された際に所定時間内に定着可能温度になるように設定されている。
【００１９】
他の１つは「スリープモード」と呼ばれるもので、画像処理装置１を最後に使用してからタイマ６０で所定時間をカウントするとこのスリープモードに移行する。このスリープモード中は、操作パネル７０の表示部７４の表示が消え、節電キー７３が点灯する。この節電中に画像処理装置１に対してプリントデータ、ファクス、インターネットファクス、Ｅメールを受信すると、節電モードは解除される。スタートボタンなどを押すことでも解除される。なお、タッチパネル７５に触れただけでは節電モードは解除されない。また、スリープモードでは、定着器への電力供給は一切行なわない。
【００２０】
動作モード判別部４４は、画像処理装置１の動作モードが通常電力モードおよび省電力モードの内いずれであるかを判別する。
【００２１】
処理実行部４６は、カードリーダ７６にて取得された識別情報に基づいて、ユーザ認証処理や識別情報の取得に応じてプリント部１０或いはスキャナ部２０の起動等の所定の処理を実行する。
【００２２】
情報判別部４７は、カードリーダ７６で取得されたユーザ識別情報から画像処理装置の使用可否を判別する。なお、情報判別部４７による画像処理装置の使用可否の判別は、例えばメモリ５０に格納されている情報（許可リストなど）に基づいて行うことができる。
【００２３】
メモリ５０は、例えばＨＤＤやＲＡＭ等から構成され、カードリーダ７６にて取得された識別情報を記憶する。
【００２４】
処理実行部４６は、カードリーダ７６にて取得された識別情報に基づいて、ユーザ認証処理や識別情報の取得に応じた所定のユニットの起動等の所定の処理を実行する。
【００２５】
動作モード切替部４２は、操作パネル７０への操作入力（タッチパネル７５への接触、ボタン、キーの押下など）に基づいて、画像処理装置１の動作モードの切り替えを行なう。動作モード切替部４２は、画像処理装置１が通常電力モードである状態において、所定時間以上操作入力がない場合に動作モードを自動的に省電力モードに切り替える。所定時間は、タイマ６０によってカウントされる。動作モード切替部４２は、画像処理装置１が省電力モードである状態において、ユーザが操作パネル７０に対して操作入力をした場合に動作モードを通常電力モードに切り替える。
【００２６】
制御部４０は、画像処理装置１における各種処理を行なう。また、制御部４０は、メモリ５０に格納されているプログラムを実行することにより種々の機能を実現する。メモリ５０は、例えばＲＯＭやＲＡＭ等から構成されており、画像処理装置１において利用される種々の情報やプログラムを格納する。
【００２７】
図２は、操作パネル７０を示す。操作パネル７０は、パネル本体上にコピーやスキャンなどをスタートさせるために押されるスタートキー７１と、コピー枚数やスキャン枚数などを設定するために押されるテンキー７２と、省電力モードに切り替えるために押される節電キー７３と、処理装置１の状態や、ユーザに対する各種の指示を文字とイラストで表示する表示部７４と、表示された文字やイラストを触れることで処理装置１に対してユーザの指示を入力するタッチパネル７５とから構成されている。更に、操作パネル７０上には、ユーザが所持する非接触ＩＣカードＡが近接されるカードリーダ７６を配置している。なお、操作パネル７０上にはその他各種ボタン、キーなどが設けられている。
【００２８】
図３は、操作パネル７０上に設けられた、カードリーダ７６に対してＩＣカードＡを約４ｃｍにかざす（即ち近づける）ことによってＩＣカードＡに格納された識別情報などが読み取られる様子を示す、
【００２９】
図４は、操作パネル７０上に設けられて表示部７４に「カードリーダにＩＣカードをかざして下さい」と表示している様子を示す。
【００３０】
図５は、操作パネル７０上の表示部７４に「コピーできます」などを表示し、タッチパネル７５に文字やイラストを表示している様子を示す。
【００３１】
図６は、タッチパネル７５上に「節電しています。スタートボタンを押して下さい。」と表示している様子を示す。
【００３２】
図７は、本実施形態による画像処理装置１が通常モードにおける処理の流れを示すフローチャートである。
【００３３】
画像処理装置１の電源がＯＮされ、その初期化が終了すると、表示部７４或いはタッチパネル７５には図４に示すように「カードリーダにＩＣカードをかざして下さい」との表示がなされる（ステップＳ７１）。
【００３４】
ユーザがカードリーダ７６にＩＣカードＡをかざし、ＣＰＵ４０がＩＣカードＡから識別情報を取得したかどうか判別する（ステップＳ７２）。ステップＳ７２での判別の結果、識別情報が取得されていれば（ステップＳ７２：ＹＥＳ）、ＣＰＵ４０は、取得した識別情報をメモリ５０に格納する（ステップＳ７３）。次いで、ＣＰＵ４０は、メモリ５０に格納された識別情報の内容を判別し（ステップＳ７４）、その判別の結果、そのユーザが画像処理装置１の使用を許可されているかどうか判別される（ステップＳ７５）。ステップＳ７５での判別の結果、許可されていないユーザであった場合には（ステップＳ７５：ＮＯ）、表示部７４或いはタッチパネル７５に「あなたは許可されていないユーザですのでこの画像処理装置は使用できません」との表示がなされる（ステップＳ７６）。
【００３５】
ステップＳ７５での判別の結果、許可されているユーザであった場合には（ステップＳ７５：ＹＥＳ）、表示部７４に図５で示すように「コピーできます」と表示して、ユーザによるコピー操作などの入力待ち状態となる（ステップＳ７７）。
【００３６】
図８は、本実施形態による画像処理装置１が省電力モードにおける処理の流れを示すフローチャートである。
【００３７】
画像処理装置１の電源がＯＮされ、その初期化が終了すると表示部７４或いはタッチパネル７５には図４に示すように「カードリーダにＩＣカードをかざして下さい」との表示がなされる。しかし、画像処理装置１の操作が一定時間ユーザによって何も操作されないと自動的に省電力モードに切り替わる。なお、一定時間ユーザに操作されない時間はタイマ６０によってカウントされる。省電力モードに切り替わると、図６に示すように「節電しています。スタートボタンを押して下さい。」との表示がなされる（ステップＳ８１）。
【００３８】
スタートキー７１が押されると（ステップＳ８２：ＹＥＳ）、画像処理装置１を通常モードに切り替える（ステップＳ８３）。スタートキー７１が押されなかった場合（ステップＳ８２：ＮＯ）には、ユーザがカードリーダ７６にＩＣカードＡをかざして識別情報がＩＣカードＡから取得されたかどうかＣＰＵ４０が判別する（ステップＳ８４）。識別情報が取得された場合（ステップＳ８４：ＹＥＳ）には、その取得された識別情報をメモリ５０に格納する（ステップＳ８５）。
【００３９】
この時、タッチパネル７５は、図６に示すような表示のままでもよいし、ユーザに対して何らかのキーを操作するように促すメッセージを表示するようにしてもよい。なお、タッチパネル７５にユーザによってタッチされることによって省電力モードから通常電力モードに切り替えるようにしてもよい。識別情報が取得されない場合（ステップＳ８４：ＮＯ）には、ステップＳ８１に戻り、図６に示すように「節電しています。スタートボタンを押して下さい。」との表示が継続する。
【００４０】
次いで、ユーザがスタートキー７１或いはその他のキーが所定時間内に押されることにより、省電力モードから通常モードに切り替わったかどうかがＣＰＵ４０の動作モード判別部４４によって判別される（ステップＳ８６）。ステップＳ８５で識別情報を取得してから所定時間経過してもモードの切り替えがなされない場合には（ステップＳ８６：ＮＯ）、取得した情報をメモリ５０から消去する（ステップＳ８７）。取得した情報をメモリ５０から消去後、ステップＳ８１に戻り、図６に示すように「節電しています。スタートボタンを押して下さい。」との表示がされる。
【００４１】
省電力モードから通常モードに切り替わったと判別された場合には（ステップＳ８６：ＹＥＳ）、取得した情報の内容を判別する（ステップＳ８８）。ステップＳ８８での判別の結果、そのユーザが画像処理装置１の使用を許可されているかどうか判別される（ステップＳ８９）。ステップＳ８９での判別の結果、許可されていないユーザであった場合には（ステップＳ８９：ＮＯ）、表示部７４或いはタッチパネル７５に「あなたは許可されていないユーザですのでこの画像処理装置は使用できません」との表示がなされる（ステップＳ９０）。次いで、表示部７４或いはタッチパネル７５には図４に示すように「カードリーダにＩＣカードをかざして下さい」との表示がなされる（ステップＳ９１）。
【００４２】
ステップＳ８９での判別の結果、許可されているユーザであった場合には（ステップＳ８９：ＹＥＳ）、表示部７４に図５で示すように「コピーできます」と表示して、ユーザによるコピー操作などの入力待ち状態となる（ステップＳ９２）。
【００４３】
本発明の実施例によれば、あるユーザが画像処理装置１を利用しようとして操作パネル７０への操作入力によって通常電力モードに切り替えた後、他のユーザが画像処理装置１付近を通過したときに当該他のユーザが保持している非接触ＩＣカードＡの情報を誤って取得してしまう事態を回避することができる。
【００４４】
上述の画像処理装置での処理（画像処理装置の動作モード切替制御方法）における各ステップは、例えばメモリ５０に格納されている動作モード切替制御プログラムをＣＰＵ４０に実行させることにより実現されるものである。
【００４５】
本実施の形態では装置内部に発明を実施する機能が予め記録されている場合で説明をしたが、これに限らず同様の機能をネットワークから装置にダウンロードしても良いし、同様の機能を記録媒体に記憶させたものを装置にインストールしてもよい。記録媒体としては、ＣＤ−ＲＯＭ等プログラムを記憶でき、かつ装置が読み取り可能な記録媒体であれば、その形態は何れの形態であっても良い。またこのように予めインストールやダウンロードにより得る機能は装置内部のＯＳ（オペレーティング・システム）等と共働してその機能を実現させるものであってもよい。
【００４６】
本発明を特定の態様により詳細に説明したが、本発明の精神および範囲を逸脱しないかぎり、様々な変更および改質がなされ得ることは、当業者には自明であろう。
【図面の簡単な説明】
【００４７】
【図１】本実施の形態による画像処理装置について説明するための機能ブロック図である。
【図２】本実施の形態による画像処理装置における操作パネルを示す平面図である。
【図３】カードリーダに非接触ＩＣカードをかざす様子を示す概略図である。
【図４】非接触ＩＣカードをカードリーダにかざすように指示するメッセージを表示する操作パネルの表示部及びタッチパネルを示す平面図である。
【図５】操作パネルの表示部及びイラストを示すタッチパネルを示す平面図である。
【図６】節電状態のメッセージを表示する操作パネルのタッチパネルを示す平面図である。
【図７】通常電力モードにおける画像処理装置の動作フローを示すフローチャートである。
【図８】省電力モードにおける画像処理装置の動作フローを示すフローチャートである。
【符号の説明】
【００４８】
１  画像処理装置、１０  プリント部、２０  スキャナ部、３０  インターフェース部、４０  ＣＰＵ、４２  動作モード切替部、４４  動作モード判別部、４６  処理実行部、５０  メモリ、６０  タイマ、７０  操作パネル、７１  スタートキー、７２  テンキー、７３  節電キー、７４  表示部、７５  タッチパネル、７６  カードリーダ、８０  バス。
【図１】
2007215167.tif 000003
【図２】
2007215167.tif 000004
【図３】
2007215167.tif 000005
【図４】
2007215167.tif 000006
【図５】
2007215167.tif 000007
【図６】
2007215167.tif 000008
【図７】
2007215167.tif 000009
【図８】
2007215167.tif 000010